(57)【要約】      （修正有）【課題】リチウム電池ユニットの素子数を減少させ、構造が簡単で組立てし易く、内部の気密効果を向上させ、内部のショートする確率を減少させるリチウム電池を提供する。【解決手段】導電柄により二つの電極を形成する電芯、殻体、及び端子ユニットからなり、電芯の両端の導電柄を端子ユニットの二つのトレイ間に固定すると共に、二つの固定素子が殻体の両端の外側で、二つの導棒の外端を鎖合し、外から内側を施力することで、端蓋と殻体の密合度を大幅に向上させる。【選択図】図３
0003160683.tif 000002
【実用新案登録請求の範囲】
【請求項１】
リチウム電池であって、
リチウム電池の両端が、複数の導電柄により二つの電極を形成する電芯と、
前記電芯を被覆し、両端がそれぞれ開口を有する殻体と、
貫通孔を有し、前記殻体の二つの開口に設置する二つの端蓋と、
前記端蓋上に設置される二つの端子ユニットと、からなり、
前記端子ユニットは、通孔を有し、前記電極上に設置され、且つ、前記殻体内に位置して、導電柄を固定する第一、第二トレイと、
前記通孔及び前記貫通孔を貫通して一端が前記殻体を突出し、他端が前記電極上に固定される導棒と、
前記殻体の外に位置すると共に、導棒上に設けられ、外から前記端蓋を圧迫して、前記殻体と緊密に固定する固定素子と、からなり、
前記二つの端子ユニットの前記二つの固定素子は、互いに反対方向に回転することで端蓋への圧迫力を調整可能に構成したことを特徴とするリチウム電池。
【請求項２】
更に、少なくとも二つの絶縁リングを有し、それぞれ二つの端蓋と二つの固定素子の間に設置されることを特徴とする請求項１に記載のリチウム電池。
【請求項３】
更に、少なくとも二つの絶縁リングを有し、各絶縁リングが、端蓋とトレイ間に設置されることを特徴とする請求項１に記載のリチウム電池。
【請求項４】
固定素子の一端は圧盤を有し、圧盤は鎖孔を有していて、導棒を鎖合して、前記端蓋を圧迫することを特徴とする請求項１に記載のリチウム電池。
【請求項５】
導棒は平盤を有し、平盤は前記電極に近接して、第一トレイと近接して設置されることを特徴とする請求項４に記載のリチウム電池。
【請求項６】
端子ユニットの第一トレイは容槽を有し、第二トレイは前記容槽内に嵌設されることを特徴とする請求項１に記載のリチウム電池。
【考案の詳細な説明】
【技術分野】
【０００１】
本考案はリチウム電池の構造に関するものであって、特に外殻の気密効果に優れたリチウム電池に関するものである。
【背景技術】
【０００２】
電池は携帯装置の電力源であり、近年その使用量が激増している。公知の一次電池は汚染性が高く、繰り返し使用することができないので、次第に淘汰される傾向にある。二次電池の中のリチウム電池は回収しやすく、蓄電エネルギーが密集し、大電力の供給が可能なので、今後の発展が期待されている。
【０００３】
図１は、公知のリチウム電池の構造を示す図である。組み立てプロセスで、まず、電芯５２の導電柄５４を一本ずつ、電芯５２を連接する導棒５６に挿入し、続いて、導電端子５８を導棒５６に接続して、導電柄５４を固定すると共に、導電端子５８上に、内絶縁リング６０、及び第一の端蓋６２を挿入して、第二の端蓋６２により殻体６４の両端を閉合する。殻体６４の外で、外絶縁リング６６を、殻体６４から突出する導電端子５８に嵌挿し、外ナット６８により導電端子５８を固定する。外ナット６８を旋転（回転締付け）させることにより、端蓋６２と殻体６４とを緊密に結合させて、内絶縁リング６０と外絶縁リング６６を圧迫して、端蓋６２の貫通孔を気密にして、電芯５２が空気の浸透により異変を生じるのを防止する。
【０００４】
公知のリチウム電池ではその素子の数が多く、リチウム電池組み立ての工程が煩雑であり、組み立てミスの恐れがある。また、導棒５６が細長く、強度不足で、施力が過多になると、導棒５６が断裂しやすい。また、導電柄５４は、予め、ピアシング加工をするので、強度が低下し、導電端子５８を導電柄５４上に固定する時に、導電柄５４が圧迫により変形や断裂する恐れがある。更に、導電端子５８を固定する過程で、導電柄５４が導棒５６の螺旋牙状体（ねじ山）にひっかかりやすく、導電端子５８がしっかりと設置できない。リチウム電池の内部の固定が不完全な状況下では、内部抵抗が高すぎてショートする危険性が高くなる。また、導電端子５８はシフトする可能性がある。また、リチウム電池の耐久性が悪く、電解液が漏れる恐れもある。
よって、リチウム電池の製造プロセスを改善すると共に、組み立て後の気密性を向上させる必要がある。
【考案の概要】
【考案が解決しようとする課題】
【０００５】
本考案の主な目的は、素子が少なく、構造が簡単であり、プロセスを減少させ、組み立て速度を加速し、且つ、組立て後のリチウム電池内部の気密効果がよいリチウム電池を提供することである。
本考案の次の目的は、導電柄の組み立て時に、変形や断裂によりショートするのを防止し、安全性が高いリチウム電池を提供することである。
本考案の最後の目的は、素子が少なく、コストが低いリチウム電池を提供することである。
【課題を解決するための手段】
【０００６】
上述の目的を達成するため、本考案は電芯と、電芯を被覆する殻体と、殻体の両端に設置された二つの端蓋と、端蓋上に設置された二つの端子ユニットと、からなるリチウム電池を開示する。
電芯は正負の二極を有し、各電極は複数の外に延伸する導電柄を有する。殻体の開口した両端には二つの端蓋を設置する。各端蓋の中心には貫通孔を有していて、それぞれ、正負の電極を引き出す。端子ユニットには、それぞれ、第一圧盤、第二圧盤を電極上に設置して、導電柄を固定する。この二つの圧盤中心には、それぞれ通孔を有し、導棒を通過させる。導棒の一端は電芯と連接し、他端は端蓋の貫通孔を通過して固定素子を鎖合（封鎖して結合）する。本考案のリチウム電池の両端の固定素子は、互いに反対方向に旋転(ねじ回転)させて調整し、外から内に端蓋を殻体上に緊密に結合させる。
【考案の効果】
【０００７】
本考案は、素子の数が少なく、構造が簡単で、プロセスを減少させ、組み立て速度を加速し、且つ、組み合わせ後のリチウム電池内部の気密効果がよいリチウム電池を提供することができる。
【図面の簡単な説明】
【０００８】
【図１】公知のリチウム電池の構造図である。
【図２】本考案の実施例の立体図である。
【図３】本考案の実施例の分解図である。
【図４】本考案の実施例の断面図である。
【図５】本考案のもう一つの端子ユニットを示す図である。
【考案を実施するための形態】
【０００９】
図２〜図４はそれぞれリチウム電池の立体図、分解図、及び、断面図である。
【００１０】
本考案のリチウム電池１は、電芯１０、殻体２０、二つの端蓋３０、及び二つの端子ユニット４０からなる。
【００１１】
電芯１０は、正極片、負極片により隔離膜を挟設し、辺縁は金属箔片を貼設した導電柄１１を巻いて形成されるので、導電柄１１は、電芯１０二端の正、負電極１３上に環状に配列される。
【００１２】
殻体２０は中空円筒で、その両端にそれぞれ開口２１を形成している。殻体２０は電芯１０の外に設置されて、電芯１０を衝撃から守る。
端蓋３０は殻体２０の開口２１上に蓋設される。各端蓋３０の中心には、それぞれ貫通孔３１が形成されていて、電芯１０の二つの端の正、負極１３の電気エネルギーを引き出す。
【００１３】
二つの端子ユニット４０は、二端蓋３０上に組み合わされ、第一トレイ４１、第二トレイ４３、内導棒４５、二つの絶縁リング４７、４７’、及び固定素子４９からなる。
第一トレイ４１には容槽４１１が凹設され、容槽４１１の中心には通孔４１２が形成されている。第二トレイ４３は容槽４１１の中に嵌合され、導電柄１１を屈折して、二つのトレイ４１、４３の間に固定される。
この他、第二トレイ４３も通孔４３１を有し、第一トレイ４１の通孔４１１位置と対応している。
【００１４】
内導棒４５は内端４５１、外端４５２、および平盤４５３を有し、内端４５１を電芯１０上に固定している。外端４５２は第一トレイ４１の通孔４１２と第二トレイ４３の通孔４３１、及び端蓋３０の貫通孔３１を通過して、外に延伸している。外端４５２の表面は陽螺紋（らせん状の紋）を有して、電芯１０の電力を外部方向に伝達させる。
この他、導棒４５の電芯１０の近くには平盤４５３を有していて、第一トレイ４１を配置する。
【００１５】
また、二つの絶縁リング４７、４７’は軟質材からなる。説明を便利にするため、以下では、殻体２０の内のものを内絶縁リング４７、殻体２０の外のものを外絶縁リング４７’と称して説明する。この絶縁リング４７、４７’は導棒４５上に設置される。絶縁リング４７は端蓋３０２内側と第二トレイ４３間に位置する。絶縁リング４７’は端蓋３０外側に位置する。
【００１６】
固定素子４９の一端は圧盤４９１を有する。圧盤４９１の端面は螺孔４９３を形成していて、導棒４５の外端４５２の外を固定し、端蓋３０を圧迫して、殻体２０に緊密に設ける。
絶縁リング４７も、端蓋３０の貫通孔３１を密封する。更に、二つの端子ユニット４０の固定素子４９は、リチウム電池１の両端の回転方向と反対である。
【００１７】
よって、組み立てする時には、まず、導棒４５の内端４５１を電芯１０上に固定し、第一トレイ４１の通孔４１２を導棒４５に設置すると共に、平盤４５３に接近させる。
【００１８】
この時、第一トレイ４１の容槽４１１は外向けである。
続いて、周囲の導電柄１１を一つずつ、第一トレイ４１の容槽４１１中に折り入れると共に、第二トレイ４３を取り出して、通孔４３１に導棒４５を挿入する。容槽４１１に嵌入して、導電柄１１を第一トレイ４１と第二トレイ４３間に平坦に圧合させる。
【００１９】
続いて、内絶縁リング４７、端蓋１０、及び外絶縁リング４７’を順に挿入して、導棒４５の外端４５２を端蓋１０の外に突出させ、固定素子４９の螺孔４９３により導棒４５の外端４５２を鎖合（封鎖して結合）する。
また、図５に示すように、加工過程で、導棒４５上で、平盤４５３と第一トレイ４１を一体形成するので、装着素子を減少させ、加工時間を短縮することができる。
【００２０】
したがって、操作者は、固定素子４９を旋転操作すると、圧盤４９１を内に外絶縁リング４７’を圧迫し、端蓋３０が、内絶縁リング４７と二つのトレイ４１、４３に向かって近接し、平盤４５３の阻止を受け、固定素子４９の緊迫する力を伝達し、外から内に、外絶縁リング４７’、端蓋３０、内絶縁リング４７、二つのトレイ４１、４３の順序で、一つずつ互いにを緊迫(圧迫)させる。端蓋３０への圧力が増加するにつれて、絶縁リング４７、４７’も端蓋２０の貫通孔３１の内外側を完全に密合(密閉して閉鎖)する。
つまり、第二トレイ４３、端蓋３０、及び固定素子４９の圧盤４９１間に隙間を生じるといった問題が存在しない。
更に、操作者が両手で両端の固定素子４９を締める時、操作が円滑で、二つの反対方向の旋転力の対立が存在し、二つの固定素子４９が二つの端蓋３０への圧迫を強化して、リチウム電池１の密封効果が更によくなる。
【００２１】
上述のように、本考案は、素子の数が少なく、構造が簡潔であり、組立工程も少なくて済み、さらに組立て速度が速く、且つ、組立て後のリチウム電池内部の気密効果が極めてよい。導電柄は二つのトレイ間に平坦に固定されるので、リチウム電池のショートを減少させ、リチウム電池の安全性が向上する。
【００２２】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【００２３】
１・・・・・・リチウム電池
１０・・・・・電芯
１１・・・・・導電柄
１３・・・・・電極
２０・・・・・殼体
２１・・・・・開口
３０・・・・・端蓋
３１・・・・・貫穿孔
４０・・・・・端子ユニット
４１・・・・・第一トレイ
４１１・・・・容槽
４１２・・・・通孔
４３・・・・・第二トレイ
４３１・・・・通孔
４５・・・・・導棒
４５１・・・・内端
４５２・・・・外端
４５３・・・・平盤
４７、４７’ ・・・絶縁リング
４９・・・・・固定素子
４９１・・・・圧盤
４９３・・・・螺孔
５２・・・・・電芯
５４・・・・・導電柄
５６・・・・・導棒
５８・・・・・内端子
６０・・・・・内絶縁リング
６２・・・・・端蓋
６４・・・・・殼体
６６・・・・・外絶縁リング
６８・・・・・外ナット
【図１】
0003160683.tif 000003
【図２】
0003160683.tif 000004
【図３】
0003160683.tif 000005
【図４】
0003160683.tif 000006
【図５】
0003160683.tif 000007